(57)【要約】【課題】グループに含まれるコンテンツの数を調整する。【解決手段】グループ生成部４は、楽曲データを区分するグループＧＰを生成する。グループ再編部７は、生成したグループＧＰに含まれる曲数の平均をとる。グループ再編部７は、曲数が平均より極端に少ないグループＧＰを検索する。曲数が平均より極端に少ないグループＧＰが存在する場合、グループ再編部７は、曲数が少ないグループＧＰを他のグループＧＰとまとめて１つのグループに再編する。【選択図】図３
2007172686.tif 000002
【特許請求の範囲】
【請求項１】
コンテンツデータが記憶される記憶部と、
上記記憶部に記憶されたコンテンツデータを所定の条件で分類したグループを生成するグループ生成部と、
上記グループ生成部が生成したグループの生成条件を調整して上記グループに含まれるコンテンツの数を調整するグループ再編部と、
上記グループ生成部が生成したグループから適当なグループを選択するグループ選択部と、
上記グループ選択部が選択したグループに従いコンテンツデータを再生する再生部と
を備えることを特徴とするコンテンツ再生装置。
【請求項２】
上記グループ再編部は、ある条件を満たすグループに含まれるコンテンツデータの数が非常に少ない場合、上記条件を満たすグループと他の条件を満たすグループとをまとめて新たなグループを生成することを特徴とする請求項１記載のコンテンツ再生装置。
【請求項３】
上記グループ再編部は、グループ生成部が生成した全てのグループに含まれるコンテンツデータの数の平均を算出し、各グループに含まれるコンテンツデータの数と該平均とを比較して、再編の対象となるグループを選択することを特徴とする請求項１記載のコンテンツ再生装置。
【請求項４】
コンテンツデータが記憶される記憶部と、
上記記憶部に記憶されたコンテンツデータを所定の条件で分類したグループを生成するグループ生成部と、
予備のコンテンツデータが記憶される予備データ記憶部と、
上記グループ生成部が生成したグループを上記予備データ記憶部に記憶した予備のコンテンツデータで補充して当該グループに含まれるコンテンツの数を調整するコンテンツデータ補充部と、
上記グループ生成部が生成したグループから適当なグループを選択するグループ選択部と、
上記グループ選択部が選択したグループに従いコンテンツデータを再生する再生部と
を備えることを特徴とするコンテンツ再生装置。
【請求項５】
コンテンツデータが記憶される記憶部と、
上記記憶部に記憶されたコンテンツデータを所定の条件で分類したグループを生成するグループ生成部と、
上記グループ生成部が生成したグループの生成条件を調整してグループに含まれるコンテンツの数を調整するグループ再編部と
を備えることを特徴とするグループ生成装置。
【請求項６】
コンテンツデータが記憶される記憶部と、
上記記憶部に記憶されたコンテンツデータを所定の条件で分類したグループを生成するグループ生成部と、
予備のコンテンツデータが記憶される予備データ記憶部と、
上記グループ生成部が生成したグループを上記予備データ記憶部に記憶した予備のコンテンツデータで補充して上記グループに含まれるコンテンツの数を調整するコンテンツデータ補充部と
を備えることを特徴とするグループ生成装置。
【請求項７】
記憶部に記憶されたコンテンツデータを所定の条件で分類してグループを生成するグループ生成工程と、
上記グループ生成工程で生成したグループの生成条件を調整してグループに含まれるコンテンツの数を調整するグループ再編工程と
を有することを特徴とするグループ生成方法。
【請求項８】
記憶部に記憶されたコンテンツデータを所定の条件で分類してグループを生成するグループ生成工程と、
上記グループ生成工程で生成したグループを予備のコンテンツデータで補充して当該グループに含まれるコンテンツの数を調整するコンテンツデータ補充工程と
を有することを特徴とするグループ生成方法。
【発明の詳細な説明】
【技術分野】
【０００１】
本発明は、コンテンツを所定の条件で分類するグループを生成するコンテンツ再生装置、グループ生成装置、及びグループ生成方法に関する。
【背景技術】
【０００２】
従来の音楽再生機器及び音楽再生用のアプリケーションには、プレイリストと呼ばれる楽曲の再生順序を指定するリストを複数設定できる機能がある。この機能には、ユーザが手動で楽曲をグループ分けしてプレイリストを生成する方法と、楽曲の特徴である曲名、アーティスト名、ジャンル、リリース年などを元に自動的にグループ分けしてプレイリストを生成する方法とがある。
【０００３】
従来、自動的にコンテンツを選択するために、ハードディスクに記録された全コンテンツデータに対して、ハードディスクにおけるアドレス、コンテンツを特定するコンテンツＩＤ、コンテンツのタイトル、ジャンル、アーティスト等の不可情報に加えて、コンテンツに対する評価ポイントを併せて記録し、評価ポイントに基づいてハードディスクよりコンテンツを抽出し再生するコンテンツデータ記録再生装置及びコンテンツデータ記録再生方法が存在する（例えば、特許文献１）。
【０００４】
【特許文献１】特開２００５−３８５４１号公報
【発明の開示】
【発明が解決しようとする課題】
【０００５】
上記プレイリストとして用いられる各グループを自動的に生成する場合、同じ条件を満たすコンテンツを同じグループに登録していく。ここで、例えば、「曲のテンポの速さ」や「リリース年代」などの条件で区分したグループを生成する例について考える。曲のテンポやリリース年代などの数値で表すことができる。そこで、「テンポが１分間に８０〜８９」「テンポが１分間に９０〜９９」「テンポが１分間に１００〜１０９」、または、「１９７０年代」「１９８０年代」「１９９０年代」という条件を満たすグループでコンテンツを区分することができる。
【０００６】
ところで、ユーザが所持しているコンテンツの分布が一様でない場合、あるグループにコンテンツが含まれない、あるいは、含まれるコンテンツの数が非常に少ないケースが発生する。これにより、グループにコンテンツが含まれない場合には、ある条件を満たすグループを選択できず、また、グループに含まれるコンテンツの数が非常に少ない場合には、常に少数の同じ曲が再生されてしまう。
【０００７】
本発明は、上述した課題に鑑みてなされたものであって、グループに含まれるコンテンツの数を調整する音楽再生装置、コンテンツの数が調整されたグループを生成するグループ生成装置、グループ生成方法を提供することを目的とする。
【課題を解決するための手段】
【０００８】
上述した目的を達成するために、本発明を適用したコンテンツ再生装置は、コンテンツデータが記憶される記憶部と、記憶部に記憶されたコンテンツデータを所定の条件で分類したグループを生成するグループ生成部と、グループ生成部が生成したグループの生成条件を調整してグループに含まれるコンテンツの数を調整するグループ再編部と、グループ生成部が生成したグループから適当なグループを選択するグループ選択部と、グループ選択部が選択したグループに従いコンテンツデータを再生する再生部とを備える。
【０００９】
また、本発明を適用したグループ生成装置は、コンテンツデータが記憶される記憶部と、記憶部に記憶されたコンテンツデータを所定の条件で分類したグループを生成するグループ生成部と、グループ生成部が生成したグループの生成条件を調整してグループに含まれるコンテンツの数を調整するグループ再編部とを備える。
【００１０】
さらに、本発明を適用したグループ生成方法は、記憶部に記憶されたコンテンツデータを所定の条件で分類してグループを生成するグループ生成工程と、グループ生成工程で生成したグループの生成条件を調整してグループに含まれるコンテンツの数を調整するグループ再編工程とを有する。
【発明の効果】
【００１１】
本発明によれば、コンテンツをグループに分けたとき、コンテンツの数が極端に少ないグループが存在する場合、グループの生成条件を調整してグループに含まれるコンテンツの数を調整する。また、コンテンツの数が極端に少ないグループが存在する場合、予備のコンテンツをグループに補充し、グループに含まれるコンテンツの数を調整する。
【発明を実施するための最良の形態】
【００１２】
以下、図面を参照して本発明を適用した音楽再生装置について説明する。図１は、音楽再生装置１の構成を示す概念図である。音楽再生装置１は、楽曲データ８を蓄積する楽曲データ蓄積部２と、楽曲データ８のグループＧＰを生成するグループ生成部４と、グループＧＰを選択するグループ選択部５と、グループＧＰに含まれる楽曲データ８を再生する楽曲データ再生部６とを備える。ここで、グループＧＰ内の楽曲リストがいわゆるプレイリストに相当する。
【００１３】
楽曲データ蓄積部２は、例えば、ＨＤ（Hard Disk）や半導体メモリのような大容量の記録媒体であり、多量の楽曲データ８を蓄積している。楽曲データ８は、図２（ａ）に示すように、楽曲そのものである実データと、楽曲の属性を示すメタデータとから構成される。この構造は、楽曲データ８の基本構造である。図２（ｂ）を参照して、楽曲データ８の1つであるＭＰ３（MPEG1 Audio Layer-3）の構造を示す。ＭＰ３は、先頭と終端にメタデータを記録するタグが設けられている。先頭のタグはＩＤ３Ｖ２タグと呼ばれ、終端のタグはＩＤ３Ｖ１タグと呼ばれている。ＩＤ３Ｖ２タグとＩＤ３Ｖ１タグの間には、実データが記録されている。また、図２（ｃ）に、別種のＭＰ３フォーマットを示す。図２（ｃ）のＭＰ３フォーマットは、メタデータを記録する位置が決まっておらず、ファイル内にメタデータが点在している。
【００１４】
グループ生成部４は、楽曲データ８のメタデータを抽出する。メタデータには、楽曲名、アーティスト名、アルバム名、リリース年度、演奏時間、テンポ（Ｂ．Ｐ．Ｍ．；Bit Per Minute）、再生された回数、ユーザの好感度など、楽曲データ８の属性情報が記録されている。グループ生成部４は、メタデータをもとに特定の条件を満たす楽曲データ８を選択してグループＧＰにまとめる。
【００１５】
グループ選択部５は、適当なグループＧＰを選択する。楽曲データ再生部６は、グループ選択部５が選択したグループＧＰに記述された楽曲ＩＤを読み出し、楽曲ＩＤをもとに楽曲データ８を検索・再生する。
【００１６】
本発明を適用したグループ生成部４は、生成したグループＧＰを再編するグループ再編部７を備える。グループ再編部７は、グループＧＰに含まれる楽曲データ８の曲数が非常に少ない場合、曲数の調整を行う。
【００１７】
グループ再編部７は、グループＧＰに含まれる楽曲データ８の曲数が非常に少ない場合、複数のグループＧＰをまとめて１つのグループＧＰにする。図３のフローチャートを参照して、グループ再編部７の動作を説明する。
【００１８】
図４は、楽曲データ蓄積部２に蓄積された楽曲データ８の分布を示している。この例において、楽曲データ蓄積部２には、Ｂ．Ｐ．Ｍ．５０〜５９の楽曲データ８が１曲、６０〜６９の楽曲データ８が１０曲、７０〜７９の楽曲データ８が１３曲、８０〜８９の楽曲データ８が１０曲、９０〜９９の楽曲データ８が０曲、１００〜１０９の楽曲データ８が４曲、１１０〜１１９の楽曲データ８が０曲、１２０〜１２９の楽曲データ８が１１曲、１３０〜１３９の楽曲データ８が１２曲、１４０〜１４９の楽曲データ８が１３曲、１５０〜１５９の楽曲データ８が１４曲、１６０〜１６９の楽曲データ８が７曲、１７０〜１７９の楽曲データ８が９曲、１８０〜１８９の楽曲データ８が２曲、１９０〜１９９の楽曲データ８が１曲、２００〜２０９の楽曲データ８が４曲、２１０〜２１９の楽曲データ８が１曲、蓄積されている。
【００１９】
グループ生成部４は、楽曲データ８のメタデータから楽曲のテンポを検出し、楽曲データ８をＢ．Ｐ．Ｍ．５０〜５９のグループＧＰ１、Ｂ．Ｐ．Ｍ．６０〜６９のグループＧＰ２、・・・というようにＢ．Ｐ．Ｍ．を１０刻みに区分したグループＧＰにまとめていく。図４のように分布した楽曲データからは、図５に示すように、Ｂ．Ｐ．Ｍ．が５０〜５９のグループＧＰ１、Ｂ．Ｐ．Ｍ．が６０〜６９のグループＧＰ２、Ｂ．Ｐ．Ｍ．が７０〜７９のＧＰ３、Ｂ．Ｐ．Ｍ．が８０〜８９のＧＰ４、Ｂ．Ｐ．Ｍ．が９０〜９９のＧＰ５、Ｂ．Ｐ．Ｍ．が１００〜１０９のＧＰ６、Ｂ．Ｐ．Ｍ．が１１０〜１１９のＧＰ７、Ｂ．Ｐ．Ｍ．が１２０〜１２９のＧＰ８、・・・が生成される（ステップＳ１）。
【００２０】
グループ再編部７は、グループ生成部４が生成したグループＧＰに含まれる曲数の平均の算出する（ステップＳ２）。そして、グループ再編部７は、ステップＳ２において算出した平均値と各グループＧＰに含まれる曲数とを比較し、曲数が平均値よりも極端に少ないグループＧＰを検索する（ステップＳ３）。
【００２１】
グループ再編部７は、平均値と比較して、曲数が少ないグループＧＰｉ（１≦ｉ≦１７）が存在すると（ステップＳ４；ＹＥＳ）、曲数の少ないグループＧＰｉと、このグループＧＰよりもＢ．Ｐ．Ｍ．が１つ高いグループＧＰ（ｉ+１）とをまとめて１つのグループにする。また、曲数が少ないグループＧＰｉよりも、Ｂ．Ｐ．Ｍ．の高いグループＧＰが存在しない場合、Ｂ．Ｐ．Ｍ．が低いグループＧＰ（ｉ−１）とまとめて１つのグループＧＰにする。
【００２２】
図５では、上記図４の楽曲データを分類したグループが示されており、曲数が０のグループＧＰ５、グループＧＰ７、曲数が１のグループＧＰ１、グループＧＰ１５、グループＧＰ１７、曲数が４のグループＧＰ６が、平均値よりも曲数が極端に少ないグループＧＰと判断される。グループ再編部は、これらのグループをＢ．Ｐ．Ｍ．の１つ高いグループにまとめて１つのグループとする（ステップＳ５）。
【００２３】
図６は、再編したグループＧＰの構成を示す。この例では、曲数が１であったグループＧＰ１とグループＧＰ２のグループとをまとめてグループＧＰａが生成されている。また、曲数が０であったグループＧＰ５と、曲数が４であったグループＧＰ６と、曲数が０であったグループＧＰ７と、曲数が１１であるグループＧＰ８とをまとめてグループＧＰｂが生成されている。
【００２４】
グループを再編した結果として、グループＧＰａの曲数が１１、グループＧＰｂの曲数が１５となる。
【００２５】
一方、ステップＳ３において、平均値よりも曲数が極端に少ないグループＧＰが存在しなければ（ステップＳ４；ＮＯ）、グループ再編部７は、グループＧＰの再編処理を行わない。
【００２６】
以上説明したように、本発明を適用した音楽再生装置１は、複数のグループＧＰと組み合わせることにより、グループＧＰに含まれる曲数の極端な差を防止している。
【００２７】
なお、本実施の形態では、複数のグループＧＰを組み合わせることで曲数の調整をしたが、例えば、Ｂ．Ｐ．Ｍ．の生成条件を１０刻みとしていたものを１５刻みや２０刻みに変えるなど、プレイリスト３の生成条件を変更することで曲数の調整をしてもよい。
【００２８】
次いで、図７を参照して他の音楽再生装置１０について説明する。図７は音楽再生装置１０の構成を示す概念図である。この音楽再生装置１０は、予め用意しておいた楽曲データ７の楽曲ＩＤをグループＧＰに挿入することで曲数の調整を行う。
【００２９】
音楽再生装置１０には、図７に示すように、楽曲データ８を蓄積する楽曲データ蓄積部２と、楽曲データ８のグループＧＰを生成するグループ生成部４と、予備の楽曲データ１２を記憶する予備データ記憶部１１と、予備の楽曲データ１２をグループＧＰに挿入する楽曲データ補充部１３と、適当なグループＧＰを選択するグループ選択部５と、グループＧＰに沿って楽曲データ８を再生する楽曲データ再生部６とを備える。なお、図７において、図１と同じ構成には、同符号を付し説明を省略する。
【００３０】
音楽再生装置１０は、予備の楽曲データ１２を記憶する予備データ記憶部１１と、予備の楽曲データ１２をグループＧＰに挿入する楽曲データ補充部１３とを備えることを特徴とする。
【００３１】
予備データ記憶部１１は、ＨＤ（Hard Disk）や半導体メモリ、光ディスクなどの記録媒体でもよいし、インターネット上の配信サーバなどでもよい。配信サーバを利用すると予備の楽曲データ１２を取得することができる。
【００３２】
グループ生成部４は、楽曲データ７からメタデータを抽出する。メタデータには、楽曲名、アーティスト名、アルバム名、リリース年度、演奏時間、テンポ（Ｂ．Ｐ．Ｍ．）、再生された回数、ユーザの好感度など、楽曲データ８の属性情報が記録されている。グループ生成部４は、メタデータをもとに特定の条件を満たす楽曲データ８を選択してグループＧＰにまとめる。
【００３３】
楽曲データ補充部１３は、グループ生成部４によって生成されたグループＧＰに含まれる楽曲データ８の曲数が非常に少ない場合、予備データ記憶部１１に記憶している楽曲データ１２を用いて曲数の調整を行う。図８のフローチャートを参照して、楽曲データ補充部１３の動作を説明する。なお、楽曲データ蓄積部２の分布は、図４と同じものとする。
【００３４】
グループ生成部４は、楽曲データ８のメタデータから楽曲のテンポを検出し、楽曲データ８のテンポ（Ｂ．Ｐ．Ｍ．）を１０刻みで区分したグループＧＰを生成する。図４と同じ楽曲データ８をグループ分けしたものを図５に示す（ステップＳ１１）。
【００３５】
楽曲データ補充部１３は、ステップＳ１１で作成したグループＧＰのうちで、空のグループＧＰ（曲数がゼロのグループＧＰ）を検索する（ステップＳ１２）。図５の例では、Ｂ．Ｐ．Ｍ．が９０〜９９のグループＧＰ４、１１０〜１１９のグループＧＰ６が空である。
【００３６】
楽曲データ補充部１３は、空のグループＧＰが存在すると（ステップＳ１３；ＹＥＳ）、予備データ記憶部１１に記憶している楽曲データ１２のうち、条件にあった楽曲データ１２を空のグループＧＰに割り当てる（ステップＳ１４）。図５で示した空のグループに予備の楽曲データ１２を挿入すると図９のようになる。なお、図９では、空のグループに１曲のみ挿入しているが、複数の曲を挿入して曲数の調整をしてもよい。
【００３７】
一方、ステップＳ１１において空のグループＧＰが存在しなければ（ステップＳ１３；ＮＯ）、楽曲データ補充部１３は、グループＧＰの補充処理を行わない。
【００３８】
以上説明したように、本発明を適用した音楽再生装置１０は、曲数が少ないグループＧＰに、予め用意しておいた楽曲データ１２を挿入して、グループＧＰに含まれる曲数を調整している。
【００３９】
これまで説明した、楽曲再生装置１，１０は、グループＧＰを生成する機能とグループＧＰに含まれる楽曲データ８を再生する機能との両方を備えていた。これに対し、図１０に示す例では、グループを生成する機能と、楽曲データ８を再生する機能とを分離し、グループ生成装置２０で生成したグループＧＰに含まれる楽曲データ８を携帯機器３０に転送する。この場合、携帯機器３０のような演算能力の低い装置やグループ生成機能を持たない装置であってもグループＧＰを利用することができる。
【００４０】
グループ生成装置２０は、図１０に示すように、楽曲データ８を蓄積する楽曲データ蓄積部２と、楽曲データ８のグループＧＰを生成するグループ生成部４と、生成したグループＧＰを再編するグループ再編部７と、予備の楽曲データ１２を記憶する予備データ記憶部１１と、予備の楽曲データ１２を補充するデータ補充部と、生成したグループＧＰを携帯機器３０に転送するグループ転送部３０とを備える。なお、図９において、図１，図７と同じ構成については、同符号を付し説明を省略している。
【００４１】
グループ生成装置２０は、例えば、ＰＣ（パーソナルコンピュータ）であり、高度な演算能力を備えている。グループ生成部４は、楽曲データ８のメタデータを抽出し、メタデータをもとに特定の条件を満たす楽曲データ８を選択してグループＧＰにまとめる。グループ再編部７は、グループＧＰに含まれる楽曲データ８の曲数が非常に少ない場合、複数のグループＧＰをまとめて曲数の調整を行う。
【００４２】
楽曲データ補充部１３は、グループに含まれる曲数の調整を行う。楽曲データ補充部１３は、グループ生成部４によって生成されたグループＧＰに含まれる曲数が非常に少ない場合、予備データ記憶部１１に記憶している楽曲データ１２を補充する。
【００４３】
グループ転送部２１は、生成したグループＧＰを携帯機器３０に転送する。携帯機器３０は、楽曲データ８を蓄積する楽曲データ蓄積部２と、グループＧＰを蓄積するグループ蓄積部３１と、適当なグループＧＰを選択するグループ選択部５と、グループＧＰに沿って楽曲データ８を再生する楽曲データ再生部６とを備える。
【００４４】
携帯機器３０は、グループ生成装置２０からグループＧＰが転送されると、入力したグループＧＰをグループ蓄積部３１に蓄積する。グループ選択部５は、グループ蓄積部３１に蓄積されたグループＧＰのうち適当なものを選択する。楽曲データ再生部６は、グループ選択部５が選択したグループＧＰに沿って楽曲データ８を再生する。
【００４５】
現在の携帯機器３０は、メタデータを全て操作してグループＧＰを生成するほど演算能力が高くない。そこで、ＰＣのような高度な演算能力を持つ電子機器で生成したグループＧＰを利用する。
【００４６】
ところで、グループ選択部５におけるグループＧＰの選択方法として、ユーザの歩行テンポと同じテンポの楽曲データ８を選択する方法がある。この場合、携帯機器３０は、ユーザの歩行テンポを検出する歩行テンポ検出部３３を備える。歩行テンポ検出部３３は、例えば、ユーザのヘッドホンや靴底に設けられている。ヘッドホンに設けられた歩行テンポ検出部３３としては、上下動を検出する加速度センサがあり、頭部の上下動から歩行テンポを検出する。また、靴底に設けられた歩行テンポ検出部３３としては、歪みセンサや圧力センサがあり、接地したときの靴底の歪みやユーザの足から受ける圧力に基づいて歩行テンポを検出する。プレイリスト選択部５は、歩行テンポ検出部３３の検出結果にあわせてプレイリスト３を選択する。
【００４７】
本発明を適用したグループ生成装置２０は、グループＧＰを生成して、生成したグループＧＰを携帯機器３０に転送する。現在の携帯機器３０は、メタデータを操作してグループＧＰを生成するほど演算能力が高くない。これを補うために、高度な演算能力を備えたグループ生成装置２０でグループを生成する。
【００４８】
以上説明したように本発明を適用した音楽再生装置１，１０及びグループ生成装置２０では、グループＧＰの生成条件を変更したり、グループＧＰに含まれる楽曲データを補充することで、グループに含まれる曲数を調整する。
【００４９】
なお、上述した実施の形態では、楽曲のテンポ（Ｂ．Ｐ．Ｍ．）を１０刻みにしてグループを生成したが、グループの生成条件は、楽曲のテンポだけではなく、楽曲の作成年代、ジャンル、アーティストなど、特に限定されない。
【００５０】
また、上述した実施の形態では、グループの生成条件である楽曲のテンポ（Ｂ．Ｐ．Ｍ．）がメタデータに記述されていることを前提として説明した。しかし、現実には、楽曲のテンポが記述されていない楽曲データも多数存在し、ＣＤ（コンパクトディスク）などに記録された楽曲データには、元々メタデータが存在しない。このような場合に対応すべく、上述した音楽再生装置、及び、グループ生成装置に、楽曲のテンポを検出するテンポ検出部を設けてもよい。
【図面の簡単な説明】
【００５１】
【図１】本発明を適用した音楽再生装置の構成を示すブロック図である。
【図２】楽曲データの構造を示す模式図である。
【図３】グループ再編部の動作を説明するフローチャートである。
【図４】楽曲データ蓄積部に蓄積された楽曲データの分布を示すグラフである。
【図５】グループ生成部によって生成されたグループを示す模式図である。
【図６】再編したグループを示す模式図である。
【図７】本発明を適用した音楽再生装置の構成を示すブロック図である。
【図８】楽曲データ補充部の動作を説明するフローチャートである。
【図９】楽曲データを補充したグループを示す模式図である。
【図１０】グループ生成装置及びグループ生成装置が生成したグループを使用する携帯機器の構成を示すブロック図である。
【符号の説明】
【００５２】
１  音楽再生装置、２  楽曲データ蓄積部、４  グループ生成部、５  グループ選択部、６  楽曲データ再生部、７  グループ再編部、１１  予備データ記憶部、１２  予備データ、１３  楽曲データ補充部、２１  プレイリスト転送部
【図１】
2007172686.tif 000003
【図２】
2007172686.tif 000004
【図３】
2007172686.tif 000005
【図４】
2007172686.tif 000006
【図５】
2007172686.tif 000007
【図６】
2007172686.tif 000008
【図７】
2007172686.tif 000009
【図８】
2007172686.tif 000010
【図９】
2007172686.tif 000011
【図１０】
2007172686.tif 000012